(57)【要約】【課題】基板に取り付けられたコネクタの抜き差しやコネクタを付け替えて正規の基板とは異なる基板を取り付けるなどの不正行為を防止できる基板ケースを備えた遊技機を提供する。【解決手段】ドア中継基板６０を内部に収納する基板ケース７０を構成する上板ケース８０と下板ケース９０のうちの上板ケース８０に、ドア中継基板６０に取り付けられるコネクタ（ＣＮ６１〜ＣＮ６８）の挿入方向及び取り外し方向と略直交位置となる方向に向けて開口部８４を形成する。【選択図】        図５
2007313251.tif 000002
【特許請求の範囲】
【請求項１】
基板ケースの内部に収納した基板と、遊技者による所定の遊技操作に応じて回転するリールを内部に備え、当該リールの有効ライン上に停止表示された図柄の組み合わせに応じて所定の遊技媒体を払い出す遊技機において、
前記基板ケースは、
薄板状の略箱型に形成されるとともに、前記基板の上下に配置される第一のケース及び第二のケースとにより構成され、
前記第一のケースを構成する側板の一部には、前記基板上に取り付けられるコネクタの挿入方向及び取り外し方向と略直交位置となる方向に向けて開口部が設けられることを特徴とする遊技機。
【請求項２】
前記基板ケースを構成する第一のケースの第一の位置には、前記基板上に固設されたコネクタに接続されるとともに、前記開口部から延出される配線を所定の方向に向けた状態で係止する係止部材が設けられることを特徴とする請求項１に記載の遊技機。
【請求項３】
前記基板ケースを構成する第一のケースの第二の位置には、前記基板上に固設されたコネクタに接続された配線を保護する保護部材が設けられ、当該保護部材には、前記配線を挿通可能な切り欠き部が形成されることを特徴とする請求項１または２に記載の遊技機。
【請求項４】
前記遊技機の本体内部には、前記基板ケースが取り付け固定されるベース板が設けられ、前記基板ケースを構成する第一のケースと第二のケースのうち、当該基板ケースの取り付け固定時に、前記ベース板と対向する第二のケースの所定位置には、前記ベース板に設けられた差し込み孔と係合自在な差し込み片が形成されることを特徴とする請求項１、２または３に記載の遊技機。
【請求項５】
前記基板ケースの内部に基板を収納した状態で、前記第一のケースと前記第二のケースとを組み付けるとともに、当該第一のケースと第二のケースとを互いに締結固定する締結固定部材をさらに備えることを特徴とする請求項１〜４の何れか一つに記載の遊技機。
【発明の詳細な説明】
【技術分野】
【０００１】
この発明は、遊技媒体（メダル・パチンコ玉）を用いて遊技を行なうことが可能なパチスロ機やパチンコ機などの遊技機に関する。
【背景技術】
【０００２】
従来より、メダルの投入若しくはＢＥＴボタン押下後にスタートレバーを操作して機械的回転リール（以下、リールと記載する）を回転駆動させるとともに、各リールに対応したストップボタンを押下操作することによって各リールを停止させ、リール表示窓内に停止された図柄の組合せに応じてメダルを払い出すパチスロ機と呼ばれる遊技機が知られている。
【０００３】
このパチスロ機の場合、メダル投入口から１〜３枚のメダルが投入されスタートレバーが操作されると、リールを回転駆動させて複数の図柄を変動させるとともに、遊技者によるストップボタンの押下操作に応じて、回転している図柄を停止表示させ、入賞役図柄の組合せが有効ライン上に停止表示された場合には、入賞役に応じた所定枚数のメダルをメダル払出口から払い出す。
【０００４】
また、このパチスロ機の内部には、パチスロ機の制御を行なう主制御基板、画像表示や音声出力などの遊技演出を制御する副制御基板やその他、複数の基板（例えば、図柄表示基板、押しボタン基板、リール停止基板、ＬＥＤ基板、ドア中継基板など）が設けられている。例えば、主制御基板の場合には、内部の基板を保護したり、第三者によるＲＯＭや基板の入れ替え（交換）などの不正行為を防止するために、基板を内部に収納した状態で半透明な保護カバー（基板ケース）内に組み付けられている。
【０００５】
すなわち、従来からパチスロ機で使用される基板用の基板ケースは、内部に収納した基板を保護する目的とコネクタの抜き差し（入れ換え）や基板の交換などによる不正行為を防止するために、上板ケース及び下板ケースとから構成され、基板を内部に収納した状態で、両者のケースを閉塞した状態で組み付けている。
【０００６】
この種の基板を内部に収納する基板ケースに関する従来技術としては、基板ケースの一部に開口部を形成し、この開口部を介して、基板の熱を外部に放出する放熱ブロックを露出させる基板ケースを備えた遊技機について開示されている。（特許文献１参照）。この基板ケースの場合、基板から発生した熱は開口部を通じて、基板ケースの外部に露出している放熱ブロックを伝わって放出することができる。また、開口部には、放熱ブロックが位置しているので、開口部を利用してコネクタを差し替えるなどの不正行為を防止することができる。
【０００７】
【特許文献１】特開２００３−０９３６９８号公報
【発明の開示】
【発明が解決しようとする課題】
【０００８】
しかしながら、上述した従来の基板を内部に収納した状態で組み付ける基板ケースの場合、基板に取り付けられるコネクタに対しては、何ら不正行為を防止するための対策が施されていないという問題がある。すなわち、図１６に示すように、従来の基板ケース７０ａは、内部に基板を収納した状態で組み付けられているため、基板に対する保護機能を有するとともに、第三者による不正基板などとの交換を困難とする構成となっているが、この基板に取り付けられるコネクタの周囲には、コネクタの抜き差しを行なうための開口部７０ｂが形成されている。
【０００９】
また、コネクタの抜き差し方向は、抜き差しが容易な真上からの方向となっている。このため、このように構成された基板ケース７０ａは、コネクタの抜き差しが容易に行なえるため、コネクタを付け替えたり、この付け替えにより正規の基板ではない不正基板を接続されたりする恐れがある。また、基板のコネクタが開口部から露出することから、コネクタの差込み口を埋めるなどの悪質な悪戯が行なわれる場合がある。さらに、従来では、基板のコネクタから延出される配線などの引き回しについては何ら考慮されてはいないため、配線の引き回しが乱雑となるなどの問題がある。
【００１０】
また、特許文献１に開示された従来公報の場合、基板ケースの外部に開口部から露出させた放熱部材により基板の熱を放出することができ、この熱を放出する開口部には放熱ブロックを配置しているため、不正行為を防止する構造となっているが、従来の基板ケースと同様に、基板に設けているコネクタに対しては、コネクタの付け替えなどによる不正行為を防止する対策が何ら施されていないという問題がある。
【００１１】
そこで、この発明は、上述した従来技術の課題を解決するためになされたものであり、基板に取り付けられるコネクタの付け替えによる不正用基板の取り付けなどの不正行為を防止するとともに、基板のコネクタに接続される配線の自由度を向上できる基板ケースを備えた遊技機を提供することを目的とする。
【課題を解決するための手段】
【００１２】
上述した課題を解決し、目的を達成するため、請求項１に係る発明は、基板ケースの内部に収納した基板と、遊技者による所定の遊技操作に応じて回転するリールを内部に備え、当該リールの有効ライン上に停止表示された図柄の組み合わせに応じて所定の遊技媒体を払い出す遊技機において、前記基板ケースは、薄板状の略箱型に形成されるとともに、前記基板の上下に配置される第一のケース及び第二のケースとにより構成され、前記第一のケースを構成する側板の一部には、前記基板上に取り付けられるコネクタの挿入方向及び取り外し方向と略直交位置となる方向に向けて開口部が設けられることを特徴とする。
【００１３】
本発明によれば、第一のケースを構成する側板の一部には、基板上に取り付けられるコネクタの挿入方向及び取り外し方向と略直交位置となる方向に向けて開口部が設けられるので、第一のケース及び第二のケースの組み付けにより基板ケース内に基板が収納されている状態では、基板に取り付けられたコネクタの抜き差しが困難となるため、第三者によるコネクタの抜き差しによるコネクタの付け替え及び正規の基板とは異なる基板（不正用の基板）を取り付けるなどの不正行為を防止することができる。
【００１４】
また、請求項２に係る発明は、上記の発明において、前記基板ケースを構成する第一のケースの第一の位置には、前記基板上に固設されたコネクタに接続されるとともに、前記開口部から延出される配線を所定の方向に向けた状態で係止する係止部材が設けられることを特徴とする。
【００１５】
本発明によれば、第一のケースの第一の位置には、基板上に固設されたコネクタに接続されるとともに、開口部から延出される配線を所定の方向に向けた状態で係止する係止部材が設けられるので、基板にコネクタを取り付けた状態で、コネクタから延出される配線を係止部材に係止させることができるうえ、配線の向きを所定の方向（一方向）に向けることができるため、配線の引き回しを効率的にまとめることができ、これによって、配線のレイアウトが乱雑となることを防止することがができる。
【００１６】
また、請求項３に係る発明は、上記の発明において、前記基板ケースを構成する第一のケースの第二の位置には、前記基板上に固設されたコネクタに接続された配線を保護する保護部材が設けられ、当該保護部材には、前記配線を挿通可能な切り欠き部が形成されることを特徴とする。
【００１７】
本発明によれば、第一のケースの第二の位置には、基板上に固設されたコネクタに接続された配線を保護する保護部材が設けられ、当該保護部材には、配線を挿通可能な切り欠き部が形成されるので、コネクタから延出される配線を切り欠き部を挿通させた状態で保護することができ、これにより、コネクタから延出される配線は、基板の配設状況に応じて、任意に配線方向を設定することができ、この結果、配線の引き延ばし方向の自由度を向上させることができる。
【００１８】
また、請求項４に係る発明は、上記の発明において、前記遊技機の本体内部には、前記基板ケースが取り付け固定されるベース板が設けられ、前記基板ケースを構成する第一のケースと第二のケースのうち、当該基板ケースの取り付け固定時に、前記ベース板と対向する第二のケースの所定位置には、前記ベース板に設けられた差し込み孔と係合自在な差し込み片が形成されることを特徴とする。
【００１９】
本発明によれば、基板ケースを遊技機の本体内部に取り付ける場合、第二のケースの所定位置（裏側）に形成された差し込み片を遊技機本体のベース板に形成された差し込み孔に差し込むだけで、基板ケース（基板）の取り付け時の位置決め及び支持（固定）を行なうことができるので、従来必要とされていた基板ケース（基板）の取り付け時に使用する部品点数を低減することができる。
【００２０】
また、請求項５に係る発明は、上記の発明において、前記基板ケースの内部に基板を収納した状態で、前記第一のケースと前記第二のケースとを組み付けるとともに、当該第一のケースと第二のケースとを互いに締結固定する締結固定部材をさらに備えることを特徴とする。
【００２１】
本発明によれば、第一のケースと第二のケースとを組み付け時に、両ケースの組み付けを固定する締結は、締結固定部材により行なわれるので、これら第一のケースと第二のケースとの組み付けを解除する作業を困難とすることができ、これにより、基板ケース内部に収納した基板に対するコネクタの抜き差しや不正基板を取り付けるなどの不正行為を防止することができる。また、締結固定部材は、切断などの方法でしか取り外しができないことから、この締結固定部材を取り外した場合には、取り外しの痕跡により不正行為が行なわれたことを容易に発見することができる。
【発明の効果】
【００２２】
本発明によれば、基板に取り付けられたコネクタの抜き差しやコネクタを付け替えて正規の基板とは異なる基板を取り付けるなどの不正行為を防止することが可能になる。
【発明を実施するための最良の形態】
【００２３】
以下に添付図面を参照して、本発明に係る遊技機の好適な実施例を詳細に説明する。なお、本発明はメダル、コイン、遊技球又はトークンなどを遊技媒体として用いる各種遊技機に適用することができるが、ここでは本発明をメダルを遊技媒体として用いるパチスロ機に適用した場合を示すこととする。
【実施例１】
【００２４】
[パチスロ機１の全体構成]
先ず、実施例１に係るパチスロ機１の外観構成と内部構成について詳細に説明する。図１は、実施例１に係るパチスロ機１の外観構成を示す斜視図を示している。同図に示すように、パチスロ機１は、パチスロ遊技時の画像表示による各種演出や待機時のデモ表示などを行なう液晶表示パネル５と小型のリールユニット４０とを備えた遊技機として構成されている。
【００２５】
パチスロ機１の上部には、左右対称位置にスピーカ６Ｌ，６Ｒが設けられており、これらスピーカ６Ｌ，６Ｒは、遊技時の演出に関する効果音や音声などによる演出音を出力するように構成されている。
【００２６】
同図に示すように、パチスロ機１の全体を形成している筐体２は、箱状のキャビネット３と、このキャビネット３を開閉する前面ドア４とを備える。また、このパチスロ機１の前面ドア４の正面中央部には、上方に向けて斜行状に形成されたリールボックス１０が設けられ、ここに前面ドア４の内側からミドルドア３０（図２）に設けられたリールユニット４０が装着されている。
【００２７】
リールユニット４０には、複数種類の図柄が各々の外周面に描かれた３個のリール４１Ｌ，４１Ｃ，４１Ｒが回転自在に横一列に設けられており、各リール４１Ｌ，４１Ｃ，４１Ｒは、一定の速度（例えば、８０回転／分）で回転する。
【００２８】
また、リールボックス１０の内部には、縦長矩形状に形成された窓枠表示領域１１Ｌ，１１Ｃ，１１Ｒが設けられている。窓枠表示領域１１Ｌ，１１Ｃ，１１Ｒは、リール４１Ｌ，４１Ｃ，４１Ｒの前面に配置された図柄表示領域の窓枠を表したものであり、各図柄表示領域を囲むように設けられている。窓枠表示領域１１Ｌ，１１Ｃ，１１Ｒは、各リール４１Ｌ，４１Ｃ，４１Ｒに対応して設けられており、リール４１Ｌ，４１Ｃ，４１Ｒ上に配置された図柄の表示や種々の演出を表示する。
【００２９】
また、窓枠表示領域１１Ｌ，１１Ｃ，１１Ｒには、水平方向にトップライン１２ｂ、センタライン１２ｃ及びボトムライン１２ｄの表示ラインが設けられ、斜め方向にクロスアップライン１２ａ及びクロスダウンライン１２ｅの表示ラインが設けられる。
【００３０】
また、液晶表示パネル５の左側には、払出表示部７ａ及びクレジット表示部７ｂが設けられている。これら払出表示部７ａ及びクレジット表示部７ｂは、それぞれ７セグメントのＬＥＤにより形成され、払出表示部７ａには入賞が成立した時（役が成立した時）のメダル払出枚数が表示され、クレジット表示部７ｂにはクレジットされている残メダル枚数が表示される。
【００３１】
リールボックス１０の下方には、略水平面をなす台座部２０が設けられている。この台座部２０の右側には、メダルを投入するためのメダル投入口１９が設けられており、このメダル投入口１９に投入されたメダルは、クレジットされるか又はゲームに賭けられる。後述するように、このメダル投入口１９から投入されたメダルは、前面ドア４の裏面側に設けられたメダルセレクタ５５(図２)内に落下するとともに、このメダルセレクタ５５によりメダルの真偽が判別されることとなる。
【００３２】
台座部２０の左側には、クレジットされているメダルを賭けるための１−ＢＥＴボタン２２、２−ＢＥＴボタン２３、ＭＡＸ−ＢＥＴボタン２４が設けられている。１−ＢＥＴボタン又は２−ＢＥＴボタンによりメダルの１枚賭け又は２枚賭けを行うことができ、ＭＡＸ−ＢＥＴボタンにより最大枚数のメダル（通常は、３枚）を賭けることができる。
【００３３】
遊技者が各ＢＥＴボタン２２，２３，２４を押下操作するか又は遊技者がメダル投入口１９に３枚のメダルを投入した場合には、５本の表示ライン（ライン１２ａ，１２ｂ，１２ｃ，１２ｄ，１２ｅ）が有効となり、遊技者がメダル投入口１９に１枚又は２枚のメダルを投入した場合には、それぞれ１本（センタライン１２ｃ）又は３本（トップライン１２ｂ、センタライン１２ｃ及びボトムライン１２ｄ）の表示ラインが有効となる。
【００３４】
リールボックス１０の左側には、ＢＥＴランプ１３ａ〜１３ｃが設けられている。これらＢＥＴランプ１３ａ〜１３ｃは、１ゲームを行なうために賭けられたメダルの数（以下「ＢＥＴ数」と言う）に応じて点灯するランプでる。ＢＥＴランプ１３ａは、ＢＥＴ数が１以上である場合に点灯し（１本の表示ラインが有効化）、ＢＥＴランプ１３ｂは、ＢＥＴ数が２以上である場合に点灯し（３本の表示ラインが有効化）、ＢＥＴランプ１３ｃは、ＢＥＴ数が３のときに点灯する（５本全部の表示ラインが有効化）。
【００３５】
台座部２０の前面部の左寄りには、遊技者がゲームで獲得したメダルをクレジットするか、クレジットしたメダルを払い出すかを押下操作で切り換えるＣ／Ｐボタン２５が設けられている。所定枚数のメダルがクレジットされた状態で、Ｃ／Ｐボタン２５が押下されると、クレジットが無効化され該クレジットされた枚数分のメダルが正面下部のメダル払出口８に払い出され、このメダル払出口８から払い出されたメダルはメダル受け部９に投出される。また、クレジットが無効化された状態で、Ｃ／Ｐボタン２５が押下された場合、クレジットが有効となる。
【００３６】
Ｃ／Ｐボタン２５の右側には、遊技者の操作によりリールユニット４０のリール４１Ｌ，４１Ｃ，４１Ｒを回転駆動させ、図柄の変動表示を開始させるスタートレバー２６が所定の角度範囲で回動自在に取り付けられている。
【００３７】
台座部２０の前面部中央で、スタートレバー２６の右側には、３個のリール４１Ｌ，４１Ｃ，４１Ｒの回転をそれぞれ停止させるための３個の停止ボタン２７Ｌ，２８Ｃ，２９Ｒが設けられている。なお、１ゲーム（単位遊技）は、スタートレバー２６が操作されることによって開始され、全てのリール４１Ｌ，４１Ｃ，４１Ｒが停止したときに終了する。
【００３８】
次に、図２及び図３を参照して、パチスロ機１の前面ドア４およびミドルドア３０の構成の概略について説明する。図２は、図１に示すパチスロ機１の前面ドア４の後側を示す図、図３はミドルドア３０を外した状態の前面ドア４の後側（裏側）を示す図である。
【００３９】
図２に示すように、前面ドア４はパチスロ機１に対して、開閉自在に設けられ、前面ドア４の裏面には、上からスピーカ６Ｌ，６Ｒと副制御基板５１が取り付けられている。また、この前面ドア４のほぼ中央部には、ミドルドア３０が取り付け固定されている。ミドルドア３０は、前面ドア４に対して、支持部材３７により開閉自在に支持されており、このミドルドア３０には、３個のリール４１Ｌ，４１Ｃ，４１Ｒを備えたリールユニット４０が装着されている。このリールユニット４０は、リール４１Ｌ，４１Ｃ，４１Ｒを保護するためのリール収容カバー５０により全体が包覆されている。
【００４０】
図２及び図３に示すように、ミドルドア３０は、全体が３箇所（上部に２箇所、下部に１箇所）のフランジ部３２を有する矩形型に形成されたミドルドア３０本体部及び片側（図２の右側）に延出するように形成された３箇所のヒンジアーム３３，３４により構成されている。
【００４１】
一対のヒンジアーム３３、３４は、前面ドア４に取り付け固定された支持部材３７に対して、片持ち支持されており、ミドルドア３０を開閉自在とする構成としている。これら一対のヒンジアーム３３の先端部（図２の右方下端部）には、下方に向けて突出した支持軸３３ａが設けられ、この支持軸３３ａは、支持部材３７の枢軸孔（図示せず）に嵌入されている。これにより、ミドルドア３０は前面ドア４に対して開閉自在となっている。
【００４２】
また、他方のヒンジアーム３４は、ミドルドア本体部３１から下方に向けて斜行するヒンジアームとして構成されるとともに、このヒンジアーム３４の先端部（図２の右方下端部）には、下方に向けて突出した支持軸３４ａが設けられ、この支持軸３４ａは、前面ドア４に設けた突起部（図示せず）に係合するとともに、突起部の凹部に嵌合する構成となっている。これによりミドルドア３０は、前面ドア４に対して、開放された状態で任意の位置に保持（停止）できる構成としている。
【００４３】
また、ミドルドア本体部３１の上部位置の左右２箇所および下部位置のフランジ部３２には、ミドルドア３０を前面ドア４に取り付けるための３個のストッパー３５が設けられている。ストッパー３５は、鉤部（図示せず）を有しており、このストッパー３５を任意の角度に回動させ、前面ドア４の所定位置（フランジ部３２の中央部付近の対向位置）に形成されたロック孔３８（図３）に、鉤部を係止或いは係脱させる操作を行なうことにより、前面ドア４に対するミドルドア３０の取り付け或いは取り外しを行なうことができる。
【００４４】
また、ミドルドア３０の左側には把持部３６が設けられている。把持部３６は、実際にミドルドア３０の開閉を行なう時に使用するもので、この把持部３６を手で持つことによりミドルドア３０を支持部材３７を中心に回動させ、ミドルドア３０の開放及び閉塞を行なう構成としている。
【００４５】
また、ミドルドア３０の上部側には、枠体フレームに支持された主制御基板５２が設けられ、この主制御基板５２の上方位置に、副制御基板５１が設けられている。この主制御基板５２の数箇所にはコネクタが設けられており、これらコネクタには各基板などへ延出される配線が接続されている（例えば、副制御基板５１に接続される配線、ドア中継基板６０に接続される配線）。
【００４６】
副制御基板５１は、画像表示やランプ表示および音声出力を含む遊技の演出を制御する機能を備えている。具体的には、主制御基板５２から送信される制御指令に基づいて液晶表示パネル５、スピーカ６Ｌ，６Ｒおよび各種のＬＥＤ類やランプ類を制御する。
【００４７】
また、キャビネット３の下方位置には、ドア中継基板６０（図５）を内部に収納した基板ケース７０が設けられている。ここで、このドア中継基板６０を内部に収納した基板ケース７０の構成は、本発明の特徴部分であるため構成についての詳細は、後述する。
【００４８】
また、図２及び図３に示すように、前面ドア４の左側には、メダルセレクタ５５と、このメダルセレクタ５５の下流端に接続されたキャンセルシュート５７とが設けられている。メダルセレクタ５５及びキャンセルシュート５７は、前面ドア４の裏面部に取り付け固定されている。
【００４９】
メダルセレクタ５５は、メダル投入口１９（図１）から投入されたメダルの真偽を判別し、正規メダルと判別されたメダルをカウントするとともに、メダルセレクタ５５の排出口側に接続しているメダルホッパー２１（図４）に貯留する。一方、不正メダルと判別したメダルは、メダルセレクタ５５の下方に設けたキャンセルシュータ５６を通じて、キャンセルシュート５７の内部に落下させる機能を備えている。
【００５０】
キャンセルシュート５７は、メダルセレクタ５５のキャンセルシュータ５６を通じて排出され落下したメダル（不正メダル）を、メダル払出口８からメダル受け部９に返却する。また、メダルホッパー２１から払い出されるメダルをメダル払出口８からメダル受け部９に払い出す機能を備えている。
【００５１】
図４は、パチスロ機１の内部を示す構成図である。同図に示すように、キャビネット３の内部の下方位置にはメダルホッパー２１（メダル払出装置）が設けられている。メダルホッパー２１は、メダルを貯留するホッパータンク２１ａと、このホッパータンク２１ａに貯留されたメダルを排出するホッパー本体２２ａとを有している。また、このホッパー本体２２ａの内部には、メダル排出機構（図示せず）が設けられており、パチスロ遊技による遊技結果（入賞役）に応じて払い出すためのメダルを排出ノズル２３ａを通じて排出するように構成されている。
【００５２】
排出ノズル２３ａから排出されたメダルは、キャンセルシュート５７（図３）に形成された払い出し口５８から前面ドア４の下方部に開口したメダル払出口８を介して、メダル受け部９に払い出される。また、キャビネット３の底部の左側には、パチスロ機１のキャビネット３内に装着された各部品に電力を供給する電源部２４ａが設けられている。
【００５３】
［基板ケース７０の構成及び特徴］
ここで、本実施例１におけるパチスロ機１では、パチスロ機１の本体内部に設けている各種の基板を対象として、この基板の周囲を包覆するとともに、この基板に取り付けられたコネクタの抜き差しや付け替え或いは、不正用の基板の取り付けなどの不正行為を防止する基板ケース７０の構成に特徴がある。
【００５４】
このため、以下の説明では、この基板ケース７０の構成及び特徴について詳細に説明する。また、基板ケース７０内に収納される基板の一例として、ドア中継基板６０を例として説明する。また、ドア中継基板６０の基板上には、８個のコネクタ（ＣＮ６１〜ＣＮ６８）及び１個の幅広のコネクタ（ＣＮ６９）が固設されているとして説明する。前述したように、このドア中継基板６０は、メダルセレクタ５５及びキャンセルシュータ５６（図３）に隣接した位置に設けられ、複数の操作ボタンや基板類及び主制御基板５２（図２）との間で信号を中継する機能を備えている。
【００５５】
図５は、ドア中継基板６０及び基板ケース７０（上板ケース８０と下板ケース９０）の分解斜視図を、図６は、基板ケース７０の内部にドア中継基板６０を収納し、組み付けた状態の斜視図を示している。また、図７は、図６のＡ矢視図（基板ケース７０の裏面図）をそれぞれ示している。
【００５６】
図５及び図６に示すように、基板ケース７０は、長尺状の略箱型に形成されるとともに、ドア中継基板６０を内部に収納した状態で、このドア中継基板６０の上下に配置される上板ケース８０及び下板ケース９０とを組み付けることにより構成されている。
【００５７】
図５に示すように、上板ケース８０は、内部に収納するドア中継基板６０の形状に合わせて長尺状の略箱型に成形されるとともに、天板８０ａと側板８０ｂ及び側板８０ｃとにより構成されている。また、天板８０ａには、複数（図５では、３個）の開口部８１〜８３が設けられ、このうち開口部８１は、ドア中継基板６０のＣＮ６９に接続された配線が通過する開口となっている。
【００５８】
また、この開口部８１の近傍位置には上方に向けて突出するように形成された保護部材８５が固設されている。この保護部材８５のほぼ中央部には、ＣＮ６９に接続された配線を挿通させるための切り欠き部８５ａが形成され、この保護部材８５及び切り欠き部８５ａによりドア中継基板６０から引き回される配線を保護するようになっている。また、保護部材８５に形成された切り欠き部８５ａは、ＣＮ６９から延出される配線の引き延ばし方向の自由度を向上させるために形成されている。具体的には、コネクタ（ＣＮ６１〜ＣＮ６８）から延出する配線を切り欠き部８５ａを挿通させることができるので、保護部材８５に近い付近のコネクタから延出する配線は、ドア中継基板６０の設置状況に応じて任意にその方向を変えることができるものとなる。
【００５９】
また、天板８０ａの片側（図５の左側）に形成された開口部８２も開口部８１と同様に、配線を挿通させる開口となっており、この開口部８２の近傍位置には片側（図５の左側）に向けて延出するように形成された係止片８６が設けられている。この係止片８６により、例えば、ＣＮ６９から延出された配線をまとめた状態で係止することができる。すなわち、ドア中継基板６０にコネクタを取り付けた状態で、コネクタ（ＣＮ６１〜ＣＮ６８）から延出される配線を係止片８６により係止させた状態で、この配線の向きを任意の方向に向けることができる。これによって、配線の引き回しを効率的にまとめることができ、配線のレイアウトが乱雑となることを防止することができる。
【００６０】
また、上板ケース８０を構成する側板８０ｂの一部には、横長に形成された開口部８４が設けられている。この開口部８４は、ドア中継基板６０に固設された８個のコネクタ（ＣＮ６１〜ＣＮ６８）に接続される各配線に対する開口として形成されている。そして、図５に示すように、この開口部８４は、ドア中継基板６０に取り付けられるコネクタ（ＣＮ６１〜ＣＮ６８）の挿入方向及び取り外し方向と略直交位置となる方向に向けて設けられている。
【００６１】
ここで、図８を参照して、上板ケース８０に形成された開口部８４及びコネクタ（ＣＮ６１〜ＣＮ６８）に接続される配線について説明する。すなわち、図８は、ドア中継基板６０のコネクタ（ＣＮ６１〜ＣＮ６８）及び各配線の接続状態を説明する拡大図である（図８では、ＣＮ６１を例として説明）。同図に示すように、開口部８４の幅寸法Ｌは、コネクタ（ＣＮ６１）に配線側のコネクタを接続した状態で、少なくとも指などを入れて何らかの操作（コネクタの抜き差し）や作業（基板交換など）を行なえない幅寸法として設定されている。
【００６２】
これにより、基板ケース７０の内部にドア中継基板６０が収納（保護）されている状態では、ドア中継基板６０に取り付けられたコネクタＣＮ６１の抜き差しを指などで行なうには、開口部８４には余裕がないため（隙間が少ない）、このコネクタＣＮ６１の抜き差しは困難な作業となり、これにより、第三者によるコネクタの抜き差しを防止することができる。また、コネクタＣＮ６１の抜き差しを防止できることから、例えば、このドア中継基板６０のコネクタＣＮ６１を付け替えて不正用の基板を取り付けるなどの不正行為やコネクタの差込み口を埋めるような悪質な悪戯を防止することができる。
【００６３】
図５、６に戻り、上板ケース８０の３箇所位置には、取り付け爪８１ａが設けられ、これら取り付け爪８１ａは、上板ケース８０と下板ケース９０との組み付け時に、下板ケース９０の３箇所位置に形成された凹部９１ｂと係合する。一方、下板ケース９０の側板部９１の２箇所位置にも取り付け爪９１ａが設けられており、これら取り付け爪９１ａは、上板ケース８０との組み付け時に、この上板ケース８０の側板８０ｃの内方部に嵌入するようになっている。
【００６４】
図７に示すように、下板ケース９０は、上板ケース８０と同様に長尺状に成形され、そのほぼ中央部には、基板ケース７０をパチスロ機１に取り付け固定するための取り付け部材９７が設けられている。この取り付け部材９７には切り欠き部９７ａ及び取り付けネジを挿通させるための通孔９７ｂとが形成されている。
【００６５】
後述するように、基板ケース７０を前面ドア４の裏面側に取り付ける場合には、この取り付け部材９７を前面ドア４の前面ドアベース部２０１（図１２）に設けられた取り付け段部２０３に取り付けることとなる。また、この下板ケース９０の両側位置には、一対の取り付け片９８及び凸部９９が設けられている。
【００６６】
また、この基板ケース７０は、ドア中継基板６０を内部に収納した状態で、上板ケース８０と下板ケース９０とを組み付ける場合、一対の封印部材６１により両ケース８０、９０の締結位置（図５の両ケース８０、９０に設けられた接合部８７、９５と締結片８３ａ及び締結柱部９３との２箇所の位置）を締結する構成となっている（図５、６参照）。
【００６７】
すなわち、後述する図９に示すように、上板ケース８０に設けられた接合部８７と下板ケース９０に設けられた接合部９５は、両ケース８０、９０を組み付けた時に、両接合部８７、９５がそれぞれ接合するようになっており、この場合、両接合部８７、９５に設けられた通孔８８、９６に封印部材６１の封印ベルト６２を挿通させ締結することで、上板ケース８０及び下板ケース９０とを組み付ける構成となっている。
【００６８】
また、上板ケース８０の端部に形成された開口部８３は、上板ケース８０と下板ケース９０とを組み付け両ケース８０、９０を封印部材６１により締結させるための取り付け口として形成されている。開口部８３のほぼ中央位置には、締結片８３ａが形成されるとともに、この開口部８３の内部には、下板ケース９０に立設された締結柱部９３が嵌入自在となっており、この締結柱部９３には、貫通孔９４が形成されている。このため、この部分を封印部材６１により締結する場合には、封印部材６１の封印ベルト６２を開口部８３から締結柱部９３の貫通孔９４を通過させ、締結片８３ａとともに、封印ベルト６２を締め付けることにより、両ケース８０、９０を強固に組み付ける構成としている。
【００６９】
[封印部材６１の構成]
次に、図９及び図１０−１〜図１０−３を参照して封印部材６１について説明する。図９は、封印部材６１の構成を示す拡大図である。この図９は、上板ケース８０に設けられた接合部８７と下板ケース９０に設けられた接合部９５とを封印部材６１で締結する図を示している。また、図１０−１は、封印部材６１による締結前の状態を、図１０−２は、封印部材６１による締結途中の状態を、図１０−３は、封印部材６１による締結後の状態をそれぞれ示す説明図である。
【００７０】
すなわち、図９及び図１０−１に示すように、封印部材６１は、封印ベルト６２及び封印ベルト６２が接続された本体部６３とから構成されている。封印ベルト６２の内側には、一方向（図１０−１では、右側）に向けて傾斜するように形成された係合部６４が設けられ、本体部６３に設けられた通孔６５の内面部にも、封印ベルト６２と同様の方向に形成された係合部６６が設けられている。
【００７１】
これにより、図１０−２に示すように、封印ベルト６２の締結方向（図１０−２の右方向）から本体部６３に設けられた通孔６５に挿通させた場合、係合部６４と係合部６６とは係合しないためそのまま封印ベルト６２を通過させることができる。これとは反対に、図１０−３に示すように、封印ベルト６２を反対方向(図１０−３の左方向)に移動させようとしても、係合部６４と係合部６６とは係合するため、この封印ベルト６２による締結を緩めることはできず、封印部材６１を取り外すことはできない。
【００７２】
これにより、封印部材６１は、封印方向（締結方向である図１０−２の右方向）には人手により挿入可能であり、引き抜き方向（緩める方向である図１０−３の左方向）に対しては、人手により引き抜きが不可能とする構造になっている。これにより、これら上板ケース８０と下板ケース９０との組み付けを解除する作業を困難とすることができ、これにより、基板ケース７０内部に収納したドア中継基板６０に対するコネクタの抜き差しや不正基板を取り付けるなどの不正行為を確実に防止することができる。
【００７３】
ここで、例えば、第三者が封印部材６１を工具を使用して切断し、上板ケース８０と下板ケース９０との組み付けを外し、内部のドア中継基板６０に対する不正行為を行なった場合には、封印部材６１の切断という不正行為の痕跡を残すこととなり、これにより、不正行為があったことを容易に発見することができる。
【００７４】
また、仮に第三者が別の封印部材６１を用意し、ドア中継基板６０に対する不正行為を行なった後、この別の封印部材６１を使用して、上板ケース８０と下板ケース９０とを締結し組み付けたとしても封印部材６１には識別記号（「Ｘ０５２３」）が刻印されているため、この識別記号に基づいて、別の封印部材を使用した事（封印部材６１の切断及び交換）やドア中継基板６０に対する不正行為を容易に発見することができる。
【００７５】
図１１は、基板ケース７０を実際に、パチスロ機１の前面ドア４の裏面部（前面ドアベース部２０１）に取り付けた時の斜視図を示している。ここで、以下、図１１に示したように、基板ケース７０を前面ドア４の裏面部（前面ドアベース部２０１）に取り付ける際の手順について説明する。図１２は、基板ケース７０の取り付け位置である前面ドア４の裏面側（前面ドアベース部２０１）を示す斜視図である。また、図１３は、基板ケース７０の取り付けの手順を示す説明図である。
【００７６】
図１２に示すように、前面ドアベース部２０１には、内側に向けて屈曲するとともに、底面部が閉塞された一対のＬ字状の取り付け枠部２０２が設けられている。これら取り付け枠部２０２は、下板ケース９０に設けられた一対の取り付け片９８及び凸部９９（図７）と係合自在となっている。また、前面ドアベース部２０１の下方位置には、下板ケース９０に設けられた取り付け部材９７が嵌入自在に形成された取り付け段部２０３が設けられている。この取り付け段部２０３には、ネジ孔２０４が形成されるとともに、このネジ孔２０４の右側には、ボス２０５が固設されている。
【００７７】
以下、図１３を参照して、基板ケース７０の取り付け方法の概要を説明する。すなわち、図１３に示すように、基板ケース７０を上側（図１３の上方）からスライドさせ下板ケース９０に設けられた一対の取り付け片９８及び凸部９９をそれぞれ一対の取り付け枠部２０２に係合させる。これと同時に、下板ケース９０の取り付け部材９７を取り付け段部２０３内に配置させる。
【００７８】
次に、取り付け部材９７の切り欠き部９７ａにボス２０５を嵌入させるとともに、通孔９７ｂから挿通させた取り付けネジによりネジ孔２０４を締結し、取り付け部材９７を取り付け段部２０３に取り付け固定する。これにより、基板ケース７０を前面ドア４の裏面部（前面ドアベース部２０１）の所定位置に取り付けることができる。
【００７９】
[ドア中継基板６０による配線レイアウト]
図１４は、ドア中継基板６０のコネクタ（ＣＮ６１〜ＣＮ６９）に接続される配線レイアウトの一例を示す説明図である。同図に示すように、ドア中継基板６０に設けたＣＮ６１には、スタートレバー２６に接続された配線のコネクタが、ＣＮ６２には、メダルセレクタ５５に接続された配線のコネクタが、ＣＮ６３には、Ｃ／Ｐボタン２５に接続された配線のコネクタが、ＣＮ６４には、各ＢＥＴボタン２２，２３，２４に接続された配線のコネクタが、ＣＮ６５には、停止ボタン２７Ｌ，２８Ｃ，２９Ｒに接続された配線のコネクタがそれぞれ接続される例を示している。また、ドア中継基板６０のＣＮ６９には、主制御基板５２から延出された配線のコネクタが接続される例を示している。
【００８０】
[パチスロ機１の内部構成を示すブロック図]
図１５は、図１に示したパチスロ機１の内部構成を示すブロック図である。図１５に示すように、このパチスロ機１は、パチスロ機１の遊技処理動作を制御する主制御基板５２と、この主制御基板５２に電気的に接続される各種の周辺装置（アクチュエータ）と、主制御基板５２から送信される制御指令に基づいて液晶表示パネル５、スピーカ６Ｌ，６Ｒ及び各種のＬＥＤ類及びランプ類を制御する副制御基板５１とが含まれる。
【００８１】
同図に示すように、主制御基板５２は、ドア中継基板６０と配線により接続されており、ドア中継基板６０は、停止スイッチ２７Ｓ，２８Ｓ，２９Ｓ、スタートスイッチ２６Ｓ、ＢＥＴボタン（１−ＢＥＴボタン２２，２−ＢＥＴボタン２３，最大ＢＥＴボタン２４）、Ｃ／Ｐボタン２５及びメダルセレクタ５５などの基板やスイッチ類と配線により接続されている。
【００８２】
また、主制御基板５２は、前述したように、回路基板上に配置されたマイクロコンピュータ１００を主たる構成要素とし、これに乱数サンプリングのための回路を加えて構成されている。すなわち、同図に示すように、マイクロコンピュータ１００は、予め設定されたプログラムに従って制御動作を行なうＣＰＵ１０１と、記憶手段であるＲＯＭ１０２及びＲＡＭ１０３とを有する。
【００８３】
ＣＰＵ１０１には、基準クロックパルスを発生するクロックパルス発生回路１０４及び分周器１０５と、サンプリングされる乱数を発生する乱数発生器１０６及びサンプリング回路１０７とが接続されている。なお、マイクロコンピュータ１００内のＣＰＵ１０１上で乱数サンプリング用プログラムを実行してソフトウエア的に乱数サンプリングを行なうこともできる。この場合、乱数発生器１０６及びサンプリング回路１０７を省略することができる。
【００８４】
マイクロコンピュータ１００のＲＯＭ１０２には、スタートレバー２６（図１）を操作（スタート操作）する毎に行われる乱数サンプリングの判定に用いられる確率抽選テーブルや停止用当選役決定テーブル、停止ボタン２７Ｌ，２８Ｃ，２９Ｒ(図１)の操作に応じてリールの停止態様を決定するための停止テーブル群などが格納されている。
【００８５】
また、このＲＯＭ１０２には、副制御基板５１へ送信するための各種制御指令（コマンド）などが格納されている。ここで、副制御基板５１が主制御基板５２へコマンド、情報等を入力することはなく、主制御基板５２から副制御基板５１への一方向で通信が行なわれる。ＲＡＭ１０３には、内部当選役、持越役、現在の遊技状態などの種々の情報が格納される。
【００８６】
マイクロコンピュータ１００からの制御信号により動作が制御される主要なアクチュエータとしては、同図に示すＢＥＴボタン（１−ＢＥＴボタン２２，２−ＢＥＴボタン２３，最大ＢＥＴボタン２４）と、払出表示部７ａ、クレジット表示部７ｂなどの表示部と、メダルを収納しホッパー駆動回路１１５の命令により所定枚数のメダルを払出すためのメダルホッパー２１（払出し用の駆動部を含む）と、リール４１Ｌ，４１Ｃ，４１Ｒを回転駆動するステッピングモータ４５とがある。
【００８７】
また、ステッピングモータ４５を駆動制御するモータ駆動回路１１２、メダルホッパー２１を駆動制御するホッパー駆動回路１１５、ＢＥＴランプ１３ａ，１３ｂ，１３ｃを駆動制御するランプ駆動回路１１３並びに払出表示部７ａ、クレジット表示部７ｂなどの表示部を駆動制御する表示部駆動回路１１４がＣＰＵ１０１の出力部に接続されている。これらの駆動回路は、それぞれＣＰＵ１０１から出力される駆動指令などの制御信号を受けて、各アクチュエータの動作を制御する。
【００８８】
また、マイクロコンピュータ１００へは、スタートスイッチ２６Ｓ、停止スイッチ２７Ｓ，２８Ｓ，２９Ｓ、ＢＥＴボタン（１−ＢＥＴボタン２２，２−ＢＥＴボタン２３，最大ＢＥＴボタン２４）、Ｃ／Ｐボタン２５、メダルセンサ２１Ｓ、リール位置検出回路１１１、払出完了信号回路１１６から入力信号が入力され、これらに基づいて制御指令が発生される。
【００８９】
スタートスイッチ２６Ｓは、スタートレバー２６（図１）の操作を検出するスイッチであり、メダルセンサ２１Ｓは、メダル投入口１９（図１）に投入されたメダルを検出するセンサである。停止スイッチ２７Ｓ，２８Ｓ，２９Ｓは、それぞれ対応する停止ボタン２７Ｌ，２８Ｃ，２９Ｒの操作に応じて停止信号を発生するスイッチである。
【００９０】
リール位置検出回路１１１は、リール回転センサからのパルス信号を受けて各リール４１Ｌ，４１Ｃ，４１Ｒの位置を検出するための信号をＣＰＵ１０１へ供給する回路である。払出完了信号回路１１６は、メダル検出部２１Ｓの計数値（メダルホッパー２１から払出されたメダルの枚数）が指定された枚数データに達した時にメダル払出完了を示す信号を発生する。
【００９１】
乱数発生器１０６は、一定の数値範囲に属する乱数を発生し、サンプリング回路１０７は、スタートレバー２６（図１）が操作された後の適宜のタイミングで乱数をサンプリングする。こうしてサンプリングされた乱数を使用することにより、例えばＲＯＭ１０２内に格納されている確率抽選テーブルなどに基づいて内部当選役などが決定される。
【００９２】
リール４１Ｌ，４１Ｃ，４１Ｒの回転が開始された後、ステッピングモータ４５の各々に供給される駆動パルスの数が計数され、その計数値がＲＡＭ１０３の所定エリアに書き込まれる。リール４１Ｌ，４１Ｃ，４１Ｒからは一回転毎にリセットパルスが得られ、これらのパルスはリール位置検出回路１１１を介してＣＰＵ１０１に入力される。このようにして得られたリセットパルスにより、ＲＡＭ１０３で計数されている駆動パルスの計数値が“０”にクリアされる。これにより、ＲＡＭ１０３内には、各リール４１Ｌ，４１Ｃ，４１Ｒについて一回転の範囲内における回転位置に対応した計数値が格納される。
【００９３】
上記のようなリール４１Ｌ，４１Ｃ，４１Ｒの回転位置とリール外周面上に描かれた図柄とを対応づけるために、図柄テーブル（図示せず）が、ＲＯＭ１０２内に格納されている。この図柄テーブルでは、前述したリセットパルスが発生する回転位置を基準として、各リール４１Ｌ，４１Ｃ，４１Ｒの一定の回転ピッチ毎に順次付与されるコードナンバー（“００”〜“２０”）と、それぞれのコードナンバー毎に対応して設けられた図柄を示す図柄コードとが対応付けられている。
【００９４】
また、ＲＯＭ１０２内には、役の成立（入賞など）となる図柄の組合せと、入賞のメダル配当枚数と、その入賞（成立）を表わす入賞判定コード（成立判定コード）とが対応づけられた図柄組合せテーブル（図示せず）が格納されている。この図柄組合せテーブルは、左のリール４１Ｌ，中央のリール４１Ｃ，右のリール４１Ｒの停止制御時並びに全リール４１Ｌ，４１Ｃ，４１Ｒの停止後の入賞確認（表示役の確認）を行なう際に参照される。表示役（表示役データ）は、有効ラインに沿って並ぶ図柄組合せに対応する役（成立役）であり、遊技者にはこの表示役に対応する利益が付与される。
【００９５】
ＣＰＵ１０１は、上記乱数サンプリングに基づく抽選処理（確率抽選処理など）により内部当選役や停止用当選役を決定したならば、遊技者が停止スイッチ２７Ｓ，２８Ｓ，２９Ｓを操作したタイミングで停止スイッチ２７Ｓ，２８Ｓ，２９Ｓから送られる操作信号並びに決定された停止テーブルに基づいて、リール４１Ｌ，４１Ｃ，４１Ｒを停止制御する信号をモータ駆動回路１１２に送出する。
【００９６】
また、ＣＰＵ１０１は、当選した役の入賞を示す停止態様（即ち入賞態様）になれば、払出指令信号をホッパー駆動回路１１５に供給してメダルホッパー２１から所定個数のメダルの払出を行なう。その際、メダル検出部２１Ｓは、メダルホッパー２１から払出されるメダルの枚数を計数し、その計数値が指定された数に達した時にメダル払出完了信号がＣＰＵ１０１に入力される。これにより、ＣＰＵ１０１は、ホッパー駆動回路１１５を介してメダルホッパー２１の駆動を停止し、メダル払出処理を終了することになる。
【００９７】
[発明の効果]
本発明によれば、ドア中継基板６０を内部に収納する基板ケース７０を構成する上板ケース８０に、ドア中継基板６０に取り付けられるコネクタ（ＣＮ６１〜ＣＮ６８）の挿入方向及び取り外し方向と略直交位置となる方向に向けて開口部８４を形成する構成としたので、このコネクタ（ＣＮ６１〜ＣＮ６８）の抜き差しによる付け替えや不正基板を接続するなどの不正行為を確実に防止することができる。
【産業上の利用可能性】
【００９８】
以上のように、本発明に係る遊技機は、基板に取り付けられたコネクタの抜き差しやコネクタを付け替えて正規の基板とは異なる基板を取り付ける不正行為を防止する基板ケースを備えた遊技機に適する。
【図面の簡単な説明】
【００９９】
【図１】実施例１に係るパチスロ機の外観構成を示す斜視図である。
【図２】図１に示すパチスロ機の前面ドアの後側を示す図である。
【図３】ミドルドアを外した状態の前面ドアの後側を示す図である。
【図４】パチスロ機の内部構成を示す正面図である。
【図５】基板ケースを構成する上板ケース及び下板ケースと中継基板とを示す分解斜視図である。
【図６】実施例１に係る基板ケースの全体構成を示す斜視図である。
【図７】図６のＡ矢視図である（基板ケースの裏面図）。
【図８】基板上のコネクタと開口部との位置関係を示す拡大図である。
【図９】封印部材による上板ケースと下板ケースとの締結状態を示す説明図である。
【図１０−１】封印部材による締結前の状態を示す説明図である。
【図１０−２】封印部材による締結途中の状態を示す説明図である。
【図１０−３】封印部材による締結後の状態を示す説明図である。
【図１１】基板ケースによる配線レイアウトの一例を示す説明図である。
【図１２】基板ケースの取り付け位置である前面ドアベース部を示す斜視図である。
【図１３】基板ケースの取り付けの手順を示す説明図である。
【図１４】ドア中継基板のコネクタに接続される配線の一例を説明するレイアウト図である。
【図１５】主制御基板の機能ブロック図である。
【図１６】従来の基板ケースによるコネクタの接続形態を示す図である。
【符号の説明】
【０１００】
１  パチスロ機
２  筐体
３  キャビネット
４  前面ドア
５  液晶表示パネル
６Ｌ，６Ｒ  スピーカ
７ａ  払出表示部
７ｂ  クレジット表示部
８  メダル払出口
９  メダル受け部
１０  リールボックス
１１Ｌ，１１Ｃ，１１Ｒ  窓枠表示領域
１２ａ  クロスアップライン
１２ｂ  トップライン
１２ｃ  センタライン
１２ｄ  ボトムライン
１２ｅ  クロスダウンライン
２０  台座部
２６    スタートレバー
２７Ｌ，２７Ｃ，２７Ｒ    停止ボタン
３０  ミドルドア
３２  フランジ部
３３，３４  ヒンジアーム
３５  ストッパー
３６  把持部
４０  リールユニット
４１Ｌ，４１Ｃ，４１Ｒ  リール
５０  リール収容カバー
５１  副制御基板
５２  主制御基板
５５  メダルセレクタ
５６  キャンセルシュータ
５７  キャンセルシュート
７０  基板ケース
８０  上板ケース
８３ａ  締結片
８５  保護部材
８５ａ  切り欠き部
８６  係止片
９０  下板ケース
９７  取り付け部材
２０１  前面ドアベース部
２０２  取り付け枠部
２０３  取り付け段部
【図１】
2007313251.tif 000003
【図２】
2007313251.tif 000004
【図３】
2007313251.tif 000005
【図４】
2007313251.tif 000006
【図５】
2007313251.tif 000007
【図６】
2007313251.tif 000008
【図７】
2007313251.tif 000009
【図８】
2007313251.tif 000010
【図９】
2007313251.tif 000011
【図１０−１】
2007313251.tif 000012
【図１０−２】
2007313251.tif 000013
【図１０−３】
2007313251.tif 000014
【図１１】
2007313251.tif 000015
【図１２】
2007313251.tif 000016
【図１３】
2007313251.tif 000017
【図１４】
2007313251.tif 000018
【図１５】
2007313251.tif 000019
【図１６】
2007313251.tif 000020